(57)【要約】【課題】限られたスペースであっても、育成領域の異なる複数種の種苗を、適切な間隔で植えることができる菜園又は農業用シートを提供すること。【解決手段】種苗の種類に応じてその成長に必要な育成領域ＥＲ１，ＥＲ２，ＥＲ３，ＥＲ４を勘案して、複数の種苗を植える位置毎に案内部１２を有する菜園又は農業用シートであって、案内部１２は、種苗の育成領域ＥＲ１，ＥＲ２，ＥＲ３，ＥＲ４の大きさに応じて異なるマーク２０，２３，２５，２７とされており、かつ、同じ大きさを有する育成領域ＥＲ１，ＥＲ２，ＥＲ３，ＥＲ４どうしが可及的に重ならないように連続して配置されると共に、異なる大きさを有する育成領域ＥＲ１，ＥＲ２，ＥＲ３，ＥＲ４が互いに重なるように配置されていることを特徴とする。【選択図】図３
2014087284.tif 000002
【特許請求の範囲】
【請求項１】
種苗の種類に応じてその成長に必要な固有の育成領域を勘案して、複数の種苗を植える位置毎に案内部を有する菜園又は農業用シートであって、
前記案内部は、
前記種苗の前記育成領域の大きさに応じて異なるマークとされており、
かつ、
同じ大きさを有する前記育成領域どうしが可及的に重ならないように連続して配置されると共に、異なる大きさを有する前記育成領域が互いに重なるように配置されている
ことを特徴とする菜園又は農業用シート。
【請求項２】
前記案内部は、相対的に大きな目印からなる大案内部と、小さな目印からなる小案内部とを有しており、
前記大案内部の目印が前記小案内部を囲むように配置されている態様を備えている
ことを特徴とする請求項１に記載の菜園又は農業用シート。
【請求項３】
畝部の幅方向の中央部に植える必要性の高い種苗に対応した案内部と、この中央部に植える必要性の高い種苗と同程度の育成領域を有するが、相対的に、前記中央部に植える必要性の低い種苗に対応した案内部とは、千鳥状に配置されていることを特徴とする請求項１又は２に記載の菜園又は農業用シート。
【請求項４】
前記案内部がある領域には、前記案内部とは別にして、一重又は二重以上の円形状模様が施されていることを特徴とする請求項１乃至３のいずれかに記載の菜園又は農業用シート。
【請求項５】
前記菜園又は農業用シートは、前記案内部のない別のシート上に載置するようになっており、
前記案内部は予め形成された開口孔を有している
ことを特徴とする請求項１乃至３のいずれかに記載の菜園又は農業用シート。
【発明の詳細な説明】
【技術分野】
【０００１】
本発明は種苗を植える際に使用する菜園又は農業用シートに関する。
【背景技術】
【０００２】
植物にはその種類に応じて、支障なく成長する為に必要な固有の領域（育成領域）がある。このため、種苗を植える際、隣り合う種苗同士間に一定の間隔を空けることが必要であり、従来、この一定の間隔を案内するようにした菜園又は農業用シートが存在する。
例えば特許文献１はアスパラガス用のシートであり、所定の間隔を空けながら複数の円形のミシン目が配列されており、使用者は畝部にこのシートを置いた後、ミシン目を破って開口孔を開けて、そこに種を植えることで、アスパラガスに必要な育成領域が重ならないようになっている。
【０００３】
また、従来、植物の特定の品種に拘らず、種苗を植えられるようにした菜園又は農業用シートも存在する。特許文献２はそのようなシートであり、多数の円形状のミシン目が比較的短いピッチで碁盤目状に配列されている。そして、使用者は別途用意された説明書等を見ながら、植えようとする複数の種苗間の距離を考慮して、開口孔を開ける位置を自ら選択し、そしてミシン目を破って開口孔を開け、そこに種苗を植えるようになっている。
【先行技術文献】
【特許文献】
【０００４】
【特許文献１】特許第４２０２３０７号公報
【特許文献２】実用新案登録第３０１０３８０２号公報
【発明の概要】
【発明が解決しようとする課題】
【０００５】
ところで、近年、家庭用菜園が増加しており、限られたスペースで、複数の品種の種苗を植えることが増加してきている。また、農家であっても、コンパニオンプランツ等の農法によっては、限られたスペースに複数の品種を植えることもある。このような場合、特許文献１のような特定の品種のみを植えることを想定したシートでは対応できない。
この点、特許文献２のシートでは、品種にかかわらず需要者が適当に開口孔を選択して開けることができるため、育成領域の異なる複数種の種苗を一枚のシートで植えることができる。しかし、特許文献２のシートは、ミシン目とミシン目の間隔が植えようとする種苗の育成領域に必ずしも対応しておらず、ミシン目は単に等間隔に配列されているだけである。このため、特に家庭菜園をする者等にとっては、種苗を植える間隔が分からずに不適当な位置に孔を開けてしまう恐れがあり、さらに、植えたい種苗の育成領域と、ミシン目とミシン目の間隔とが必ずしも合わないため、限られたスペースに植えたい種苗を植えることが出来なくなる場合もある。
【０００６】
そこで本願発明は、限られたスペースであっても、育成領域の異なる複数種の種苗を、適切な間隔で植えることができる菜園又は農業用シートを提供することを目的とする。
【課題を解決するための手段】
【０００７】
上記目的は、請求項１の発明によれば、種苗の種類に応じてその成長に必要な固有の育成領域を勘案して、複数の種苗を植える位置毎に案内部を有する菜園又は農業用シートであって、前記案内部は、前記種苗の前記育成領域の大きさに応じて異なるマークとされており、かつ、同じ大きさを有する前記育成領域どうしが可及的に重ならないように連続して配置されると共に、異なる大きさを有する前記育成領域が互いに重なるように配置されている菜園又は農業用シートにより達成される。
【０００８】
請求項１の構成によれば、菜園又は農業用シートは、種苗の種類に応じてその成長に必要な固有の育成領域を勘案して、複数の種苗を植える位置毎に案内部を有する。このため、その案内部に従って種苗を植えれば、隣り合う種苗同士は阻害し合うこともなく成長できる。例えば、案内部が目印である場合は、使用の際、その目印がある領域に開口孔を開けて、そこに種苗を植えればよい。
そして、この案内部は種苗の育成領域の大きさに応じて異なるマークとされているため、複数種の種苗を植えたい場合であっても、その植えたい種苗の育成領域に対応するマークを選択して、その種苗を適切に植えることができる。
ここで、従来の常識である農業用シートのように育成領域が重ならないようにして、例えば、畝部の先頭に対応した位置にキャベツ、キャベツの次にトマト、トマトの次にほうれん草等といった区分けをして、複数の種苗を植えるための目印等の案内部を形成すれば、一枚のシートを使って複数の種苗を適切な間隔で植えることができる。しかし、そのような方式では、限られたスペースしかない家庭用菜園などに複数の種苗を植えようとすると、例えば、スペース的に畝部の先頭に対応した位置のキャベツを植えるための案内部しか利用できない等、使い勝手の悪いシートになってしまう恐れがある。
ところが、本発明の案内部は、異なる大きさを有する育成領域が互いに重なるように配置されているため、育成領域が重なっている分、限られたスペースの中であっても、より多くの異なる案内部を配置できる。
そして、このように育成領域が重なっていても、使用者は植える予定の種苗に対応した案内部を適宜選択して、種苗を植えることができる。すなわち、先ず、案内部は同じ大きさを有する育成領域どうしが可及的に重ならないように連続して配置されているため、使用者は、同じマークを有する隣の案内部との距離を見て、その案内部に応じた育成領域を判断できる。そして、異なる大きさを有する育成領域が互いに重なるように案内部が配置されている範囲では、使用者は、いずれか一方の育成領域に応じた案内部を適宜選択しながら、そこに種苗を植えることが出来る。
このようにして、使用者は、限られたスペースの中で、育成領域を判断しながら、育成領域が重なっている範囲では植える予定の種苗に応じた案内部の方を適宜選択し、複数種の種苗を適切に植えていくことができる。
【０００９】
また、好ましくは、前記案内部は、相対的に大きな目印からなる大案内部と、小さな目印からなる小案内部とを有しており、前記大案内部の目印が前記小案内部を囲むように配置されている態様を備えていることを特徴とする。
従って、異なる大きさの育成領域の一部分を重ねるのではなく、大きな育成領域の中に小さな育成領域を完全に包含した構成を有し、限られたスペースの中に、より多くの案内部を配置することができる。
また、例えば、本発明の菜園又は農業用シートを使って連作する場合、最初に案内部に開けた開口孔に、最初に植えた種苗とは異なる種苗を植えることもでき、これによりシートが孔だらけになる事態を軽減し、シートの保温・防虫・保水といった効果の減少を抑制できる。
【００１０】
また、好ましくは、畝部の幅方向の中央部に植える必要性の高い種苗に対応した案内部と、この中央部に植える必要性の高い種苗と同程度の育成領域を有するが、相対的に、前記中央部に植える必要性の低い種苗に対応した案内部とは、千鳥状に配置されていることを特徴とする。
これにより、畝部の幅方向の中央部に植える必要性の高い種苗に対応した案内部と、当該中央部に植える必要性の低い種苗に対応した案内部とを近づけても、両種苗の育成領域どうしが可及的に重ならないようにすることができ、限られたスペースの中に、より多くの種苗を植えることができる。
【００１１】
また、好ましくは、前記案内部がある領域には、前記案内部とは別にして、一重又は二重以上の円形状模様が施されていることを特徴とする。
これにより、先端部が円筒状である市販の穴あけ器を利用して開口孔を形成する際、円形状模様が目安となって、適切な位置に孔を開けることができる。
また、その円形状模様を二重以上とした場合、開口孔を開ける際、円筒状の先端部の直径が異なっている穴あけ器に対応することができる。例えば、円形状模様が二重である場合、保温性を重視して、小さな開口孔を開ける方が好ましい場合は、内側のミシン目模様に沿って孔を適切な位置に開け、逆に大きな開口孔を開ける方が好ましい場合は、外側のミシン目模様に沿って孔を適切な位置に開け易くなる。
そして、このように円形状模様を二重以上にすることで、特に家庭菜園の使用者に対して、自然環境や用途に応じて開口孔の大きさを変えるように仕向けることができる。
【００１２】
また、好ましくは、前記菜園又は農業用シートは、前記案内部のない別のシート上に載置するようになっており、前記案内部は予め形成された開口孔を有していることを特徴とする。したがって、使用者は、本シートを例えば公知な農業用シートの上に被せ、適宜選択した案内部の開口孔に沿って当該公知なシートに孔を開け、そこに種苗を植えることができる。そして、このテンプレートのようなシートの案内部は、上述した請求項１の発明の特徴を有しているため、使用者は、限られたスペースの中で育成領域を適宜判断しながら、複数種の種苗を適切に植えていくことができる。
【発明の効果】
【００１３】
以上説明したように、本発明によれば、限られたスペースであっても、育成領域の異なる複数種の種苗を、適切な間隔で植えることができる菜園又は農業用シートを提供できる。
【図面の簡単な説明】
【００１４】
【図１】本発明の第一の実施形態に係る菜園又は農業用シートの部分表面図。
【図２】本発明の第一の実施形態の第一の変形例に係る菜園又は農業用シートの部分表面図。
【図３】図１の各案内部に対応する仮想の育成領域を表した図。
【図４】複数の育成領域の大きさに対応した複数の案内部を、本発明とは別の方法で印刷した表面図。
【図５】本発明の第一の実施形態の第二の変形例に係る菜園又は農業用シートの部分表面図。
【図６】図１の菜園又は農業用シートの使用方法の一例を説明する図であって、図６（ａ）は菜園又は農業用シートを畝部にかけて斜め上方から見た斜視図、図６（ｂ）は案内部がある領域に最初に開口孔を作った図。
【図７】図１に示す菜園又は農業用シートの使用方法の一例を説明する図であって、図７（ｃ）は図６（ｂ）とは別のマークの案内部の領域に開口孔を作った図、図７（ｄ）はさらに別の案内部の領域に開口孔を作った図。
【図８】本発明の第一の実施形態の第三の変形例に係る菜園又は農業用シートの部分表面図。
【図９】本発明の第二の実施形態に係る菜園又は農業用シートの表面図。
【図１０】図９の菜園又は農業用シートの使用方法を説明するための図。
【図１１】図１における案内部のマーク変形例
【発明を実施するための最良の形態】
【００１５】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、各図において付した同じ符号は同様の構成を有している。
【００１６】
図１の第一の実施形態に係る菜園又は農業用シート１０は、家庭用菜園や農業に用いられるもので、ポリエチレンやポリエステル等の樹脂から形成された薄いフィルム状のシートであり、栽培用フィルム、家庭菜園・農業用フィルム、マルチシート等とも呼ばれる。以下、本実施形態の菜園又は農業用シート１０をシート１０と言う。
このフィルム状のシート１０は、一方向に長く土を盛った畝部にかけて使用されることが多いため、全体が反物状に長く形成され、その幅Ｗ１は畝部の幅に対応して形成されている。図１では、反物状のシート１０の一部分だけを図示している。また、その幅Ｗ１は９５ｃｍとされているが、本発明はこれに限られず、例えば１３５ｃｍであっても構わない。
また、シート１０は、畝部に沿って載置されると共に、巻いて保管及び運搬可能なように、全体が可撓性を有し、使用の際にカッターや鋏等で切断可能とされている。
【００１７】
このようなシート１０は、作物の順調な成長を助けるために使用されるものであり、その用途に応じて、透明色、銀色、黒色、白色などを利用できる。
透明色のものは、日当りを好む作物用として、日中に温度を上昇させたい場合に好適に使用される。銀色のものは、アルミニウムの顔料等を練り込んでなり、光の反射により、アブラムシ等の害虫の忌避効果を特に高くしている。なお、銀色のものは透明色に比べて温度が上がり難く、温度が高い時期・地域に好適に使用される。黒色のものは透明色に比べて昼夜を問わずに保温効果があり、雑草を防ぐ場合に好適に使用される。白色のものは内側の温度上昇を防ぐ効果を有し、夏の炎天下等に最適に使用される。
なお、シート１０の色や材質には上述したもの以外に様々なものがあるが、本発明のシート１０は、それら全てに使用可能である。
【００１８】
また、シート１０は、上述した保温・保冷・保水・防虫・防雑草の効果が得られるだけでなく、複数の種苗を適切な間隔を開けて植えられる構成を有している。
すなわち、シート１０は、種苗の種類に応じてその成長に必要な育成領域を勘案して、複数の種苗を植える位置を示唆する複数の案内部１２が配置されている。
ここにいう「育成領域」とは、一つの種苗が成長するに当たって、隣り合う他の種苗との間で実質上の干渉を受けることなく、支障なく成長可能な固有の領域をいう。なお、隣り合う２つの種苗どうしを故意に干渉させ合って、より力強い成長を促進させる農法もあり、そのような干渉は上記「実質上の干渉」には含まれない。
また、「育成領域」は、品種によって、根圏及び／又は葉圏を勘案して決められている。「根圏」とは植物の根の影響を周辺に受けている土壌領域と意味し、「葉圏」とは葉に代表される植物地上部を意味する。
【００１９】
案内部１２は、上述した育成領域を確保するように、複数の種苗を植える位置毎に配置されており、使用者は案内部１２のある領域に種苗を植えるようになっている。
図１の場合、案内部１２は種苗を植える位置に配置された目印であり、この目印の領域に対して、市販のカッター方式やガスバーナー方式による公知の穴あけ器具等を用いて孔を開け、その開口孔に種苗を植えるようになっている。
なお、案内部１２は、シート１０の幅方向の両端部ＥＮが畝部の側面に対して配置されることを考慮して、中央領域に配置されている。図１の場合、畝部の側面に対応した両端部ＥＮの幅Ｗ３は約１０〜１５ｃｍであるが、本発明はこれに限られるものではない。
【００２０】
具体的には、案内部１２がある領域には、中心部に案内部１２を置くようにして、開口孔を形成する際の目安となる除去マーク３０が印刷等で施されており、図１の場合、除去マーク３０は円形状模様とされている。
このように、本実施形態では、種苗を植える位置を示唆する案内部１２と、実際に開口孔を形成する際の目安となる除去マーク３０とを、別々に形成している。これは、後述するように、案内部１２は育成領域の大きさに応じてマークを異ならせる必要があるのに対して、除去マーク３０は公知の穴あけ器具の先端部の筒状に対応して、全てを円形状にすることが好ましいからである。
この除去マーク３０は一重でも構わないが、本実施形態では、二重の円形状模様（図の場合、案内部１２より目立たないミシン目模様）とされている。このため、開口孔を開ける際、円筒状の先端部の直径が異なっている穴あけ器に対応でき、また、特に家庭菜園の使用者に対して、自然環境や用途に応じて開口孔の大きさを変えるように仕向けることができる。
なお、案内部１２や除去マーク３０は、凸版印刷やシルクスクリーン等の印刷で形成してもよいし、上からシールを貼るようにしてもよい。
【００２１】
ここで、案内部１２は、種苗の育成領域の大きさに応じて異なるマークとされている。なお、「マーク」とは、目印となる文字、図形、記号（色彩を含む）、及びこれらの結合をいい、図１の場合、正方形状、円形状、ダイヤ形状、星形状により異ならせた図形とされている。
そして、各マークの位置に植えるべき種苗の種類が、シート１０の表面に説明書き１４として表示され、これにより、マークを異ならせたことと併せて、別途用意された説明書を見ないでも、案内部１２に植えるべき種苗が理解できるようになっている。
図１では、説明書き１４を見て分かるように、正方形状の案内部２０は、このシート１０の中では最も小さな育成領域を有する作物（ほうれん草、玉葱、人参、小松菜）の種苗を植える位置を示している。
円形状の案内部２５は正方形状の案内部２０の育成領域に比べて大きな育成領域を有し、さらに、地中に大きく根を張って実を付ける等、根圏が大きいため、シート１０の略中央に植えることが好ましい作物（例えば、ジャガイモ、サツマイモ、キャベツ、苺）の種苗を植える位置を示している。
星形状の案内部２３は、育成領域の直径がシート１０の有効幅（全幅Ｗ１からの両端部ＥＮを除いた幅）Ｗ２の略半分であって、根圏の直径がシート１０の有効幅Ｗ２の略半分以下である作物（例えば、大根、トウモロコシ、レタス、枝豆、大葉）の種苗を植える位置を示している。
ダイヤ形状の案内部２７は、このシート１０の中では最も大きな育成領域を有する作物（例えば、トマト、茄子、ピーマン、キュウリ）を植える位置を示している。
なお、本発明の育成領域の大きさに応じたマークは、上述した図形に限られるものではなく、他の図形・文字・記号又はこれらの結合であっても構わない。例えば、本第一の実施形態の第一の変形例に係るシート１０−１である図２に示すように、上述した正方形状を星形状の案内部２０−１にし、色彩を異ならせることで他の星形状の案内部２３と区別するようにしてもよい。
【００２２】
また、除去マーク３０について言えば、その大きさはシート１０の用途や案内部１２の種類に応じて変えることが好ましい。例えば、地色が銀色や白色であって、黒色や透明色に比べて温度の上昇を抑制するタイプについては、除去マーク３０を相対的に大きくして開口孔が大きく形成されるように使用者を誘導するのがよい。これにより、地色が銀色及び白色タイプのものについては、放熱効果を上げることが出来る。
図１では、地色が銀色及び白色タイプのものを想定した除去マーク３０を例示しており、案内部２３，２５，２７の領域にある除去マーク３０ａは、内側の直径φ２が６０ｍｍ、外側の直径φ１が８０ｍｍと大きく形成されている。これに対して、案内部２０の領域にある除去マーク３０ｂについては、そこに植える作物自体にとって大きな開口孔は不要であり、また、多数の開口孔が形成されることを想定すると、かえって防虫効果が減少する等の弊害に鑑みて、内側の直径φ４を４５ｍｍ、外側の直径φ３を６０ｍｍとし、除去マーク３０ａに比べて小さく形成されている。
【００２３】
そして、各案内部２０，２３，２５，２７は、同じ大きさを有する育成領域どうしが重ならないように連続して配置されている。
図３はこの各案内部２０，２３，２５，２７に対応する仮想の育成領域ＥＲ１〜ＥＲ４を表した図であり、以下、この図３を用いて各案内部２０，２３，２５，２７と育成領域ＥＲ１〜ＥＲ４との関係について説明する。なお、図３では育成領域を表したことで図面が煩雑にならないように、図１の除去マーク３０を省略して図示している。
【００２４】
図３の正方形状の案内部２０は、図の左上に示すように、隣接する同じマークの案内部２０との育成領域ＥＲ１，ＥＲ１どうしが重ならないように連続して（即ち、隣接する案内部２０の育成領域ＥＲ１，ＥＲ１の外縁どうしが略接するように）配置されている。これにより、隣り合う２つの案内部２０，２０どうしの中間点ＣＰ１と、その一つの案内部２０との距離ｒ１を半径とする円形状の範囲が、当該一つの案内部２０の育成領域ＥＲ１であると理解できる。
また、このような関係は他のマークの案内部２３，２５，２７についても同様であり、それぞれ互いに隣接する同じマークの案内部２３，２５，２７の中間点ＣＰ２，ＣＰ３，ＣＰ４を把握することで、夫々の育成領域ＥＲ２，ＥＲ３，ＥＲ４が理解できる。
【００２５】
ここで、図３に示されるように、案内部１２は、異なる大きさを有する育成領域ＥＲ１，ＥＲ２，ＥＲ３，ＥＲ４が互いに重なるように配置されている。
従って、限られたスペースの中に、複数の異なる大きさを有する育成領域ＥＲ１，ＥＲ２，ＥＲ３，ＥＲ４に対応した複数の案内部２０，２３，２５，２７を配置できる。すなわち、複数種の育成領域に対応した案内部を配置する際、図４に示されるように、一点鎖線で示す育成領域を出来るだけ重ねないように案内部ア，イ，ウ，エ，オを配置するのが従来の常識であるため、シートがかなり長くなってしまう。しかし、本実施形態では、図３に示されるように、異なる育成領域ＥＲ１，ＥＲ２，ＥＲ３，ＥＲ４を互いに重ねている分、多数の異なる案内部２０，２３，２５，２７を限られたスペースに配置することができる。
図３では、ＵＴの範囲が最小単位ユニットＵＴであり、この最小単位ユニットＵＴに表示された複数の案内部１２及び除去マーク３０（図１参照）の配置パターンが、長手方向Ｙに連続して続いている。なお、最小単位ユニットＵＴ，ＵＴどうしの区切りには一つのパターンが終了した印（図の場合はａｂｃｄｅであって、例えば商標）１６が表示されている。
【００２６】
さらに、本実施形態では、可及的に多数の異なる案内部２０，２３，２５，２７を最小単位ユニットＵＴに収められるように、育成領域の異なる全ての種類が互いに重ねられ、しかも、一つの育成領域がそれとは異なる二つ以上の育成領域と重なるようになっている。例えば、図３の育成領域ＥＲ３を見ると、他の全て育成領域ＥＲ１，ＥＲ２，ＥＲ４とどこかの位置で重なるようになっており、この関係は他の育成領域ＥＲ１，ＥＲ２，ＥＲ４を見ても同じである。
なお、本発明は図３のような育成領域が重なった態様に限られるものではなく、所定の育成領域がそれとは異なる一つの育成領域のみと重なるようにしてもよいし、或いは、他の異なる育成領域と重ならない育成領域が存在しても構わない。
【００２７】
しかも、本実施形態では、育成領域ＥＲ１〜ＥＲ４だけではなく、案内部１２自体も重なっている箇所を有している。すなわち、案内部１２は、相対的に大きな枠状の目印からなる大案内部２５，２７と小さな目印からなる小案内部２０とを有しており、大案内部２５，２７の内側に小案内部２０が配置されている態様を備えている。
従って、例えば大案内部２５と小案内部２０との関係で説明すると、図３の下側に示すように、大きな育成領域ＥＲ３の中に小さな育成領域ＥＲ１が完全に包含された関係を有し、これにより、多数の案内部１２をさらにコンパクトな領域に収めることに成功している。図の場合、最小単位ユニットＵＴのＹ方向の長さは約６０ｃｍである。
なお、本シート１０は複数種の種苗を植えるため、その収穫の時期を異ならせて、所謂連作をする可能性が比較的高くなったと言え、連作をする場合は、特定の病原菌の繁殖や養分バランスが崩れるという連作障害を防止するため、種類の異なる種苗を植えるのが好ましく、この際、例えば案内部２５の領域に既に開けた開口孔に、最初に植えた種苗とは異なる種苗を植えることもできる。このようにして、シート１０が孔だらけになる事態を防止している。
【００２８】
そして、このように異なる育成領域ＥＲ１，ＥＲ２，ＥＲ３，ＥＲ４が重なっていても、当該領域が重なっている範囲では、使用者は植える予定の種苗に対応した案内部２０，２３，２５，２７のいずれか一つを適宜選択して、その種苗を植えることができる。
換言すれば、上述のように、連続する同じマークの案内部２０，２３，２５，２７どうしの中間点ＣＰ１，ＣＰ２，ＣＰ３，ＣＰ４を把握して、育成領域ＥＲ１，ＥＲ２，ＥＲ３，ＥＲ４が理解できるようになっているため、異なる育成領域ＥＲ１，ＥＲ２，ＥＲ３，ＥＲ４が互いに重ならないように、適宜、案内部２０，２３，２５，２７を選択しながら、そこに種苗を植えることが出来る。
【００２９】
しかも、本実施形態のシート１０では、隣り合う同じ形態の２つの案内部１２，１２の間には、その２つの案内部１２とは別の形態を有する案内部１２が配置されるようになっている。具体的には、シート１０の中で一番小さな育成領域ＥＲ１に対応した案内部２０を、別の形態を有する案内部２３，２５，２７の間に置くように縦横に配置し、これによりドット柄の碁盤目状ノートのようにして、育成領域ＥＲ１〜ＥＲ４をより判断し易くしている。例えば、案内部２７について見た場合、隣接する２つの案内部２７，２７の中間には案内部２０ａが配置されており、この案内部２０ａを中間点ＣＰ４として見立てて、育成領域ＥＲ４を把握できる。また、この案内部２０は、上述したように、相対的に小さな目印からなる小案内部２０であるため、碁盤目状に多数配置されたとしても、煩雑な印象を与えないようになっている。
【００３０】
ところで、このような案内部２０の配置は、図３に示すように碁盤目状に限られるものではない。図５は案内部２０の他の配置例を示す図であって、本第一の実施形態の第二の変形例に係るシート１０−２である。なお、図５では、便宜上、案内部２０，２５のみを図示し、鎖線は育成領域を示す仮想線である。
図５に示すように、案内部２０は、複数の育成領域ＥＲ１の間に隙間が出来るだけ生じないように、シート１０−２の長手方向Ｙに対して角度θ１をつけて列設している。このように、案内部２０は碁盤目状に配置されていなくても、多数の案内部２０が縦横に配列されて、中間点ＣＰ３を把握するための目安にはなる。
但し、ほうれん草や小松菜等の葉物を植えるための案内部２０は、図３のように碁盤目状に配列した方が、風の通りがよくなって葉を食べるナメクジ等の進入を防止できる点でより好ましい。また、シート１０の中央部に植えることが好ましい作物に対応した例えば案内部２５について、図３のように、隣接する案内部２５，２５どうしを結ぶ仮想線ＫＢ上の中間点ＣＰ３に案内部２０が存在する方が中間点ＣＰ３を把握し易くより好ましい。
【００３１】
また、本実施形態のシート１０では、図３の下側に示すように、中央部に配置すべき案内部２５と、この案内部２５の育成領域ＥＲ３と同程度の育成領域ＥＲ２を有するが、相対的に中央部に配置する必要性の低い星形状の案内部２３とは、千鳥状に配置されていることも特徴的である。これにより、育成領域ＥＲ３と育成領域ＥＲ２とは重なった平行斜線の部分を有するが、その範囲を小さくすることができ、双方の案内部２３，２５に種苗を植えることも可能である。
なお、案内部２３については、図３の右下に示すように、４つの案内部２０により画される正方形に囲まれているが、その正方形の中心ＣＦに配置されず、中心より若干上側にずらして配置することで、少しでも最小単位ユニットＵＴを短くしている。
【００３２】
図６及び図７は、図１のシート１０の使用方法の一例を説明する図であって、図６（ａ）はシート１０を畝部にかけて斜め上方から見た斜視図、図６（ｂ）は案内部がある領域に最初に開口孔を作った図、図７（ｃ）は図６（ｂ）とは別のマークの案内部の領域に開口孔を作った図、図７（ｄ）はさらに別の案内部の領域に開口孔を作った図である。なお、図６（ａ）では案内部及び除去マークは省略して図示している。
【００３３】
先ず、図６（ａ）に示されるように、土を盛り上げた畝部ＡＸの作物を育てようとする領域の長さＬ１に合わせて、ロール状巻かれたシート１０を引出して切断する。そして、畝部ＡＸの略平らな上面の幅と複数の案内部が配置された有効幅Ｗ２とを合わせるようにして、シート１０を畝部ＡＸにかけ、シート１０の幅方向両端の領域ＶＨに土ＣＲをかける等して、シート１０を固定する。
【００３４】
次に、図６（ｂ）に示すように、複数の案内部１２の内、最初に植えようとする種苗、本使用方法ではキャベツの種苗に対応した案内部２５を探し、その案内部２５の周囲の円形状の除去マーク３０に対して市販の穴あけ器具を押当てて、開口孔ＨＬ１を開け、そこにキャベツの種苗を植える。なお、図６（ｂ）ではキャベツの種苗を８月に植えている。
【００３５】
次に、図７（ｃ）に示すように、次に植えようとする種苗、本使用例では大根の種苗に対応した案内部２３を探す。この際、既にキャベツは植えているため、このキャベツを植えた案内部２５の育成領域ＥＲ３を判断する。すなわち、隣り合う２つの案内部２５どうしの中間点ＣＰ３を把握して、キャベツを植えた開口孔ＨＬ１と中間点ＣＰ３との距離ｒ２を半径とする育成領域ＥＲ３を判断する。そして、その育成領域ＥＲ３と、大根の同様にして判断した育成領域ＥＲ２とが重ならないようにして、案内部２３の周囲の除去マーク３０に対して市販の穴あけ器具を押当てて開口孔ＨＬ２を開け、そこに大根の種苗を植える。なお、図７（ｃ）では大根の種苗を９月に植えている。
【００３６】
次に、図７（ｄ）に示すように、次に植えようとする例えば小松菜の種苗に対応した案内部２０を探す。この際、既に植えている大根及びキャベツについては、その育成領域ＥＲ２，ＥＲ３を中間点ＣＰ２，ＣＰ３を参酌しながら判断し、その育成領域ＥＲ２，ＥＲ３と小松菜の育成領域ＥＲ１とが重ならないようにして、案内部２０の周囲の除去マーク３０に対して市販の穴あけ器具を押当てて開口孔ＨＬ３を開け、そこに小松菜の種苗を植える。
【００３７】
本発明の第一の実施形態に係るシート１０，１０−１，１０−２は以上のように構成されており、このようにして、小さな領域の中に、複数の育成領域の異なる作物（図６及び図７の場合は大根、キャベツ、及び小松菜）を同時期に、かつ、適切な育成領域をもって育てることができる。
なお、上述した実施形態や使用方法はあくまでも一例であり、例えば、使用方法について言えば、植える種苗・時期・位置は上述した使用方法に限られるものではない。
また、本実施形態では、案内部１２の周囲の除去マーク３０に略沿って開口孔を開けて種苗を植えるようになっている。そうすると、開口孔を開けた後は、除去マーク３０の内側にある案内部１２も除去されるため、例えば、一度にまとめて開口孔を開ける等の使用方法や使用者によっては、植えた種苗の種類やその育成領域が分からなくなってしまう恐れがある。そこで、本第一の実施形態の第三の変形例に係るシート１０−３である図８に示すように、案内部１２を除去マーク３０の周囲に配置して、開口孔を開けた後であっても案内部１２が残るようにしてもよい。
【００３８】
図９は、本発明の第二の実施形態に係る菜園又は農業用シート５０の表面図である。
この図において、図１ないし図８のシート１０，１０−１，１０−２，１０−３と同一の符号を付した箇所は同様の構成であるから、重複する説明は省略し、以下、相違点を中心に説明する。
第二の実施形態の菜園又は農業用シート（以下、「本シート」という）５０が第１の実施形態のシート１０，１０−１，１０−２，１０−３と主に異なるのは、本シート自体に開口孔を開けて種苗を植えるのではなく、テンプレート方式のようにして、公知のポリエチレン製等のシート・フィルム・マルチフィルム（以下、「既存フィルム」という）に開口孔を開けるようにした点である。
【００３９】
すなわち、本シート５０の平面状の大きさは、別の既存フィルムの上に被せられる程度の幅Ｗ４を有し、かつ、既存フィルムに比べて相対的に大きな重量を有し、既存フィルムの上に被せた場合、風等で容易に飛ばないようになっている。具体的には、本シート５０は軟質性塩化ビニル等の樹脂により形成され、畝部上に敷かれた既存フィルムの上に載置した際、当該敷かれた既存フィルムの形状に沿える可撓性を有している。
【００４０】
そして、本シート５０の複数の案内部４０，４１，４２，４３は、それぞれ予め形成された開口孔４０ａ，４１ａ，４２ａ，４３ａを有しており、図９の開口孔４０ａ，４１ａ，４２ａ，４３ａは、公知の穴あけ器具に対応して、厚み方向に貫通した円形の孔とされている。従って、本シート５０は、既存フィルムの上に載置した状態で、開口孔４０ａ，４１ａ，４２ａ，４３ａの中に公知の穴あけ器具を挿入し、本シート５０の下に敷かれた既存フィルムに開口孔を開けられるようになっている。
【００４１】
そして、案内部４０〜４３は、図１の案内部１２と同様の機能を有している。すなわち、種苗の育成領域の大きさに応じて異なるマークとされている。図９の場合、開口孔周縁４０ｂ，４１ｂ，４２ｂ，４３ｂが、実線の円、太い実線の円、一点鎖線の円、破線の円、とされている。また、開口孔４０ａ，４１ａ，４２ａ，４３ａはその全てが円形状であるため、使用者が区別し易いように、開口孔周縁４０ｂ，４１ｂ，４２ｂ，４３ｂには異なる着色がなされている。
また、案内部４０〜４３は、同じ大きさを有する育成領域どうしが可及的に重ならないように連続して配置されると共に、異なる大きさを有する育成領域が互いに重なるように配置されている。具体的には、案内部４０〜４３は、図１の最小単位ユニットＵＴの案内部１２と同じ配置になっている。すなわち、図９の案内部４０は図１の案内部２０、図９の案内部４１は図１の案内部２３、図９の案内部４２は図１の案内部２５、図９の案内部４３は図１の案内部２７に夫々対応した位置となっている。
したがって、小型化されたシート５０の中で、各案内部４０〜４３に対応した育成領域を判断しながら、育成領域が重なっている範囲では植える予定の種苗に応じた案内部を適宜選択し、本シート５０の下に敷かれた既存フィルムに孔を開けて、そこに適切に種苗を植えることができる。
【００４２】
なお、本シート５０の長さＬ３は、上述した最小単位ユニットＵＴの長さＬ２を有しており、図９の場合、最小単位ユニットＵＴの長さＬ２に比べて、長さ方向（畝部の長さ方向に対応した方向）Ｙの両端部に案内部１２のない余剰部分ＳＵ１，ＳＵ２を有する分だけ長くなっている。
余剰部分ＳＵ１，ＳＵ２は２つの役割を有している。一つ目は畝部上に敷かれた既存フィルムを押さえ付ける役割であり、二つ目はガイド５２を配置する役割である。ガイド５２は、最小単位ユニットＵＴの長さＬ２以上の既存フィルムに開口孔を開けようとして、本シート５０をずらして既存フィルム上に載置した際、位置がずれて適切な育成領域が判断できなくなる事態を防止するための孔である。
【００４３】
具体的には、ガイド５２は貫通孔５２ａとその周縁の印５２ｂを有している。印５２ｂは、案内部４０〜４３の開口孔周縁の形状との差異を出すため、図の場合は点線の円形状とされている。なお、本発明はこれに限られるものはなく、ガイド５２を貫通孔５２ａのみにしてもよい。貫通孔５２ａだけであっても、案内部４０〜４３の開口孔周縁４０ｂ，４１ｂ，４２ｂ，４３ｂには着色された円が表示され、ガイド５２との区別が可能であるからである。
また、ガイド５２は前方の余剰部分ＳＵ１に複数配置され、この複数のガイド５２は、反対側（図９の一番下側）の複数の案内部４０−１，４１−１と、その互いの間隔も含めて同じ並び方をしている。本実施形態では、余剰領域ＳＵ１に配置された複数のガイド５２の貫通孔５２ａは、その反対側の複数の案内部の貫通孔４０ａ，４１ａ，４２ａを略コピーするようにして配列されている。なお、「略コピー」としたのは、図９の案内部４２の内側に配置された開口孔４０ｂの大きさが貫通孔５２ａと異なるためである。このように案内部４２の内側に配置された開口孔４０ｂを、他の開口孔４０ｂに比べて大きくしたのは、案内部４２に植える種苗の特性を考慮してである。
そして、ガイド５２の中心と長さ方向Ｙに隣接して対応する案内部４０−２，４１−２の中心との距離Ｙ１，Ｙ２が、当該案内部４０−２，４１−２の育成領域の直径と同じ寸法とされている。
【００４４】
次に、本シート５０の使用方法を、本シート５０の使用方法の一例を説明する図である図１０を参酌しながら説明する。なお、この説明では、図６及び図７で説明した使用方法と異なる点を主に説明する。
図１０に示すように、先ず、畝部ＡＸの上に、本シート５０とは別の既存フィルムＢＳを載置し，その後、その既存フィルムＢＳの上に本シート５０を載置する。この際、本シート５０は可撓性を有するため、既存フィルムＢＳの形状に沿って載置される。
また、図１０では、ビニルシートＢＳの長さＬ４は最小単位ユニットＵＴの長さＬ２よりも大きいため、初めに、本シート５０を既存フィルムＢＳの片側の領域ＢＳ−１に載置する。
【００４５】
次に、案内部４０〜４３の中から、育成領域が重ならないように配慮しながら、植えたい種苗に対応した案内部を適宜選択し（図の場合は案内部４０と案内部４１を選択）、その案内部４０，４１の開口孔４０ａ，４１ａに公知の穴あけ器具を差し込んで、図の破線のように既存フィルムＢＳに孔４００，４１０を開ける。そして、本シート５０を置いたまま、既存フィルムＢＳの孔４００，４１０に案内部４０，４１に対応した種苗（例えば、案内部４０に対応した小松菜の種苗、案内部４１に対応した大根の種苗）を植える。
【００４６】
次に、本シート５０を領域ＢＳ−１に隣接する領域ＢＳ−２に載置する。この際、ガイド５２の貫通孔５２ａと、既に開けている領域ＢＳ−２に近い孔４００，４１０とが一致するようにして本シート５０を載置する。
そして、案内部４０〜４３の中から、育成領域が重ならないように配慮しながら、植えたい種苗に対応した案内部を適宜選択し、既存フィルムＢＳに孔を開けて種苗を植える。ここで、ガイド５２の貫通孔５２ａの中心と長さ方向Ｙに隣接して対応する案内部４０−２，４１−２の中心との距離Ｙ１，Ｙ２は、当該案内部４０−２，４１−２の育成領域の直径と同じ寸法である。このため、育成領域が重ならないように配慮する際、領域ＢＳ−１に既に開けた領域ＢＳ−２に近い孔４００，４１０に植えた種苗の育成領域を理解することができる。
【００４７】
ところで、本発明は上記実施形態に限定されず、種々の変形例を採用できる。
例えば、図１の除去マーク３０は一重の円形状でもよく、その際、その円形状をミシン目で形成して、開口孔を手などで容易に開けられるようにすると好ましい。
また、例えば図１１の下側に示すように、同じ除去マーク３０の中に、互いに重ならない異なる複数の案内部２０−２，２５−２を表示してもよく、このようにしても、大きな育成領域ＥＲ３の中に小さな育成領域ＥＲ１が完全に包含された関係となり、これにより、限られたスペースの中に多数の案内部１２を収めることができる。なお、この異なる複数の案内部は同じ除去マーク３０の中にあれば、例えば、図１１の上側に示すように、案内部２０−３と案内部２５−３とが一部重なっていてもよい。
【符号の説明】
【００４８】
１０，１０−１，１０−２，１０−３，５０・・・菜園又は農業用シート、１２，２３，２５，２７，４０，４１，４２，４３・・・案内部、ＥＲ１，ＥＲ２，ＥＲ３，ＥＲ４・・・育成領域、ＵＴ・・・最小単位ユニット
【図１】
2014087284.tif 000003
【図２】
2014087284.tif 000004
【図３】
2014087284.tif 000005
【図４】
2014087284.tif 000006
【図５】
2014087284.tif 000007
【図６】
2014087284.tif 000008
【図７】
2014087284.tif 000009
【図８】
2014087284.tif 000010
【図９】
2014087284.tif 000011
【図１０】
2014087284.tif 000012
【図１１】
2014087284.tif 000013